(57)【要約】【課題】インターネットなどのコンピュータネットワーク上の映像や音声に含まれる視聴覚表現を検索し、ピンポイントで再生するとともに、再生に合わせて字幕や画像などを提示する。また、音映像検索用データベースを利用者が自由に編集し、ネット上で公開利用可能とする。【解決手段】本発明の課題を解決する手段は、ネットワーク上に、符号（Ｄ）によって識別可能な音映像を含む記録媒体（ａ）、フレームカードデータベース含む記録媒体（ｂ）、記録媒体（ｂ）が保持する情報を使って記録媒体（ａ）を検索し、検索結果を出力可能とする検索エンジンを設置し、端末装置から検索が要求されたときに検索を実行し、その検索結果を使って、所望の音映像をピンポイント再生するとともに、字幕や画像を同期提示するアプリケーションをインストールした端末装置をネットワークに接続可能とする、映像内検索再生編集システムを構築することである。【選択図】図１
2011123586.tif 000002
【特許請求の範囲】
【請求項１】
インターネット等のコンピュータネットワーク上の音声や映像など、開始位置と終了位置を特定して再生可能な記録媒体（ａ）を、検索エンジンにより検索し、再生可能とするシステムにおいて、
記録媒体（ａ）の特定部分に対応する句（ｐ１）の開始位置及び終了位置の位置情報と、セリフやト書きなど、句（ｐ１）に関連づける情報（Ｐ）と、記録媒体（ａ）を特定するためのアドレスなどの符号（Ｄ）を有するフレームカードを要素とする集合体を収納した記録媒体（ｂ）を、インターネット等のコンピュータネットワーク上に配置し、
検索エンジンにキーワードなどの検索条件（Ｋ１）が渡されたとき、
検索エンジンは、前期記録媒体（ｂ）のセリフやト書きなど、句（ｐ１）に関連づけられた情報（Ｐ）の中を検索して、検索条件（Ｋ１）に該当する情報を見つけるたびに、その情報を持つフレームカードを検索結果リスト（Ｌ１）に加えていき、
こうして収集されたフレームカード・リスト（Ｌ１）を、検索結果として出力可能とする映像内検索再生編集システム。
【請求項２】
インターネット等のコンピュータネットワーク上の音声や映像など、開始位置と終了位置を特定して再生可能な記録媒体（ａ）を、検索エンジンにより検索し、再生可能とするシステムにおいて、
前記請求項１における、検索結果として出力されたフレームカード・リスト（Ｌ１）からひとつ、あるいは複数のフレームカードが選ばれたとき、
それらのフレームカードに保持されている関連づけられた情報（Ｐ）、および、符号（Ｄ）で指定された記録媒体（ａ）の句（ｐ１）を、その開始位置と終了位置に基づいて順次再生可能とする映像内検索再生編集システム。
【発明の詳細な説明】
【技術分野】
【０００１】
本発明は、インターネットなどのコンピュータネットワークにおける映像や音声などの検索と再生と編集に関するものであり、映像や音声などの内部にある視聴覚表現を検索し、その検索結果を使って、映像や音声などをピンポイントで再生利用する映像内検索再生編集システムに関するものである。特に、映像や音声の再生に合わせて字幕や画像などを提示できる映像内検索再生編集システムに関するものである。また、映像や音声の管理者でなくても、利用者の目的に応じて、さまざまな視点から自由に検索用データを生成し、ネット上で利用可能とする映像内検索再生編集システムに関するものである。
【０００２】
本発明で扱う「コンピュータネットワークにおける映像や音声」とは、開始位置と終了位置を特定することによって、その区間を音声や映像として再生可能な媒体のことをさしている。一般には、マルチメディアあるいは単にメディアと呼ばれるビデオファイルやオーディオファイルである。ビデオファイルには画像と音が収録され、オーディオファイルには音が収録されている。人間の感覚で言えば、視覚情報と聴覚情報である。
【０００３】
本発明は、コンピュータネットワーク上のマルチメディアに含まれる映像や音によって表現された視覚情報や聴覚情報を、その表現された時間軸において検索する映像内検索再生編集システムに関するものである。
【０００４】
本発明は、コンピュータネットワーク上のマルチメディアに含まれる映像や音によって表現された視聴覚情報を検索し、その表現された場面や瞬間をピンポイントで再生する映像内検索再生編集システムに関するものである。
【０００５】
本発明は、コンピュータネットワーク上のマルチメディアに含まれるある特定の表現場面をピンポイントで再生するときに、再生される視聴覚情報に関連した情報（字幕やト書きや解説や画像など）を同期表示する映像内検索再生編集システムに関するものである。
【０００６】
本発明は、コンピュータネットワークの一般利用者が、自らの利用目的に応じて、さまざまな視点から、コンピュータネットワーク上のマルチメディアに含まれる映像や音によって表現された視聴覚情報を検索するためのデータベース編集を可能とする映像内検索再生編集システムに関するものである。
【背景技術】
【０００７】
コンピュータネットワーク上に多数の映像や音声が増え、同時にそれらを再生利用する端末装置や通信環境も充実してきている。こうした多数の映像や音声をコンピュータネットワーク上で有効利用するためには、映像や音声の中身の検索が不可欠である。
【０００８】
従来、コンピュータネットワークにおける映像や音声などの検索は、「特開２００８−９８０７（Ｐ２００８−９８０７Ａ）、映像データベース構築装置、映像検索装置及び不明語検索装置」に見られるように、複数の映像や音声ファイルの中から、目的の映像や音声ファイルを見つけ出すために、その表題や、その内容に関するコメントなどを対象として行われてきた。いわば、映像の表題による検索であった。
【０００９】
他方、映像や音声などの中身の検索は、「特開２００９−２５９１６７（Ｐ２００９−２５９１６７Ａ）、映像検索ダイジェスト生成装置及び方法及びプログラム」に見られるようなものも提案されてはいるが、いまだ、ネット上から検索できるものではない。
【００１０】
他方、映像や音声などの中身のネット上からの検索としては、「特開２００８−３０５１３４（Ｐ２００８−３０５１３４Ａ）、映像検索システム、映像検索サーバー、移動体端末および映像検索プログラム」に見られるようなものも提案されてはいるが、同一サーバー内に、映像と検索用の管理情報が固定されていて、ネット上の映像をサーバー管理者以外が、さまざまな視点から多様に、検索用にあるいは出力用に編集しネットワーク上に再配信できるものではない。
【００１１】
他方、ネット上にある映像を利用することを目指す提案としては、「特開２００８−２７６３４０（Ｐ２００８−２７６３４０Ａ）、検索装置」があるが、これは映像を検索するための特徴データを、映像ダウンロード後に生成利用するもので、ネット上の映像をネット上で検索利用できるものではない。
【００１２】
他方、映像や音声などの中身のネット上からの検索としては、「特許第３３０７６１３号（Ｐ３３０７６１３）、映像検索システム」があるが、検索で得られた映像や音声の再生に合わせて、字幕や画像などの関連情報を同期再生するものではない。
【００１３】
他方、映像や音声の内容をデータベース化し、ピンポイントで再生するとともに、その再生にあわせて字幕や画像などを同期再生するものとしては、「特許第３５４９１９５号（Ｐ３５４９１９５）、記録媒体再生装置、記録媒体再生方法、及び記録媒体」があるが、この発明の仕組みを基礎として、ネット上の映像をネット上で検索利用できるように発展させたのが本発明である。
【００１４】
特に、特許第３５４９１９５号（Ｐ３５４９１９５）におけるフレームカード方式による音映像管理は、１枚のカードで再生、検索、字幕表示などを一元的に実施可能としたので、この技術をネットワーク上で活用することにより、ネット映像検索の新しい扉を開くことができた。
【先行技術文献】
【特許文献】
【００１５】
【特許文献１】特開２００８−９８０７（Ｐ２００８−９８０７Ａ）
【特許文献２】特開２００９−２５９１６７（Ｐ２００９−２５９１６７Ａ）
【特許文献３】特開２００８−３０５１３４（Ｐ２００８−３０５１３４Ａ）
【特許文献４】特開２００８−２７６３４０（Ｐ２００８−２７６３４０Ａ）
【特許文献５】特許第３３０７６１３号（Ｐ３３０７６１３）
【特許文献６】特許第３５４９１９５号（Ｐ３５４９１９５）
【発明の概要】
【発明が解決しようとする課題】
【００１６】
上記従来の技術によれば、コンピュータネットワーク上のビデオメディアやオーディオメディアの中に含まれる映像や音声によって表現された視聴覚情報を検索再生するにあたり、検索結果としてメディア自身を１本のメディアとして出力するだけであったり、たとえメディアに含まれる中身をピンポイントで検索再生できたとしてもコンピュータネットワーク上での利用を想定していなかったり、メディアを配信する管理者以外の利用者の側が独自に検索用にあるいは出力用に編集しネットワーク上に再配信できるものでなかったり、検索再生用のデータベースがあらかじめ準備されているのではなくダウンロード後に別途生成しなければならないものであったり、検索で得られたメディアの再生利用にあわせて字幕や画像などの関連情報を同期再生するものでなかったりするという制約や欠点などの問題点があった。
【００１７】
本発明の課題は、インターネットなどのコンピュータネットワークにおける映像や音声などの検索と再生と編集の利便性を高めることであり、具体的には、（１）映像や音声などの内部をピンポイントで検索し、（２）その検索結果を使って、映像や音声などをピンポイントで再生し、（３）再生時には、映像や音声の再生に合わせて字幕や画像などを同期提示し、（４）映像や音声の管理者でなくても利用者の目的に応じてさまざまな視点から自由に検索用データを編集しネット上で再利用可能とする映像内検索再生編集システムを提供することである。
【課題を解決するための手段】
【００１８】
上述した課題を解決するための手段を記述するに当たり、表現を正確にするためと、表現の冗長を避けるために、いくつかの用語について取り決めをしておく。
【００１９】
本発明の課題は、インターネット、イントラネット、エクストラネットなどのコンピュータネットワークにおける映像や音声などの中身を検索し、再生利用することであるので、インターネット、イントラネット、エクストラネットなどのコンピュータネットワークを単に「ネットワーク」あるいは「ネット」と呼ぶことがある。
【００２０】
本発明の課題は、ネットワークにおける映像や音声などの中身を検索し、ピンポイントで再生利用することであるので、ネットワーク上にあり、検索再生対象となる映像や音声などを、一括して「対象音映像」あるいは「音映像」と呼ぶ。
【００２１】
対象音映像は、一方では、それ自身が１本のファイルとして存在する場合があり、他方では、複数の音映像を束ねた媒体となることもあり、さらに音映像の一部を切り出して新規に独立した音映像とすることもあるので、「記録媒体（ａ）」と表現する場合もある。
【００２２】
対象音映像のファイルを検索することと、対象音映像の中にある視聴覚表現を、時間軸に沿って特定の区間や場面を検索することを区別するために、対象音映像のファイルを検索することを「映像体検索」と呼び、対象音映像の中にある視聴覚表現を、時間軸に沿って特定の区間や場面を検索することを「映像内検索」あるいは「内部検索」と呼び分ける。
【００２３】
対象音映像を内部検索した結果に基づいて、その区間や場面を再生することを「ピンポイント再生」と呼ぶ。
【００２４】
対象音映像をピンポイント再生するためには、対象音映像のどこにどのような視聴覚表現があるかを知らなければならない。「どこに」とは、音映像の区間や場面を特定するための時間情報であり、それは、開始位置と終了位置とにより確定される。「どのような表現」とは、セリフ、話者、ト書き（人や物の動きや様子、日時や季節風土、印象を記したもの）、分類項目名などで、一般に言語により表現された多岐にわたる文化的内容であり、キーワードにより検索可能なものである。音映像のなかのある特定の区間や場面にかかわる時間情報と文化的内容情報を記録したものを「フレームカード」と呼ぶ。
【００２５】
「フレームカード」を主要な要素とするデータベースを保持する媒体を「制御ファイル」と呼ぶ。
【００２６】
対象音映像を再生利用するには、たとえば、映像と字幕の配置など、その音映像の再生利用法の指定なども必要となるので、これらの制御情報も制御ファイルに記述しておく。
【００２７】
制御ファイルは、一方ではそれ自身が１本のファイルとして存在することがあり、他方では複数の制御ファイルを束ねた媒体となることがあり、さらには制御ファイルに含まれるデータベースの一部を切り出して新規に独立した制御ファイルとすることもあるので、「記録媒体（ｂ）」と表現する場合もある。
【００２８】
ネットワーク上の記録媒体（ａ）と記録媒体（ｂ）は、お互いに独立して存在することが前提なので、記録媒体（ｂ）に保持されているフレームカード情報がどの記録媒体（ａ）に関わるものであるかを示すことが必要となる。また、逆に、記録媒体（ａ）に関わる映像内検索情報が必要なときに、記録媒体（ｂ）を特定することが必要となる。そこで記録媒体（ａ）と記録媒体（ｂ）を結びつけるための同一番号を設置し、それを「符号（Ｄ）」と呼ぶ。
【００２９】
本発明の課題を解決する手段は、ネットワーク上に、符号（Ｄ）によって識別可能な音映像を含む記録媒体（ａ）、フレームカードデータベース含む記録媒体（ｂ）、記録媒体（ｂ）が保持する情報を使って記録媒体（ａ）を検索し、検索結果を出力可能とする検索エンジンを設置し、端末装置から検索が要求されたときに検索を実行し、その検索結果を使って、所望の音映像をピンポイント再生するアプリケーションをインストールした端末装置をネットワークに接続可能とする、映像内検索再生編集システムを構築することである。
【発明の効果】
【００３０】
本発明の効果は、インターネットなどのコンピュータネットワークにおける映像や音声などの検索と再生と編集の利便性が高まることであり、具体的には、（１）音映像の内部がピンポイント検索可能となる、（２）その検索結果を使って、音映像のピンポイント再生が可能となる、（３）ピンポイント再生時に、音映像の再生に合わせて字幕や画像などの同期提示が可能となる、（４）音映像の管理者でなくても利用者の目的に応じてさまざまな視点から自由に内部検索用データを編集しネット上で再利用可能とすることなどである。
【図面の簡単な説明】
【００３１】
【図１】本発明の実施形態概要俯瞰概念図
【図２】本発明における、ひとつのサーバーに記録媒体（ａ）、記録媒体（ｂ）を配置した概念図
【図３】本発明における、記録媒体（ａ）と記録媒体（ｂ）を統合した、記録媒体（ｃ）の概念図
【図４】本発明における、記録媒体（ｂ）の概念図
【図５】本発明における、フレームカードがすべて同一の記録媒体（ａ）のときの、記録媒体（ｂ）の概念図
【図６】本発明における、キーワードによる検索の概念図
【図７】本発明における、検索結果から音映像を再生する概念図
【図８】本発明における、映像コンテンツのセリフ情報検索の概念図
【図９】本発明における、映像コンテンツのセリフ情報検索結果の概念図
【図１０】本発明における、映像コンテンツのセリフ情報検索結果出力例
【図１１】本発明における、映像コンテンツのセリフ情報検索結果からのピンポイント再生操作例
【図１２】本発明における、映像コンテンツのセリフ情報検索結果からのピンポイント再生例
【図１３】本発明における、映像コンテンツのセリフ情報検索結果からのピンポイント再生操作例
【図１４】本発明における、映像コンテンツのセリフ情報検索結果からのピンポイント再生例
【図１５】本発明における、映像コンテンツのセリフ情報検索結果からの新規リスト作成概念図
【図１６】本発明における、映像コンテンツのセリフ情報検索結果からの記録媒体（ｂ）生成概念図
【図１７】本発明における、端末装置（ブラウザ）での検索概念図
【図１８】本発明における、映像コンテンツの話者情報検索結果の概念図
【図１９】本発明における、映像コンテンツの話者情報検索結果からの記録媒体（ｂ）生成概念図
【図２０】本発明における、映像コンテンツのト書き情報検索の概念図
【図２１】本発明における、映像コンテンツのト書き情報検索結果の概念図
【図２２】本発明における、検索結果の概念図
【図２３】本発明における、検索結果からの連続再生操作例
【図２４】本発明における、検索結果からの記録媒体（ｂ）生成操作例
【図２５】本発明における、検索結果から生成された記録媒体（ｂ）の概念図
【発明を実施するための形態】
【００３２】
本発明は図１にあるように、インターネットなどのコンピュータネットワーク（100）に、サーバー（201、202・・・）と端末装置（301、302・・・）がつながれた状態で実施される。音映像を保持する記録媒体（ａ）と、記録媒体（ａ）の関連情報を保持する記録媒体（ｂ）は、それぞれサーバーに収納されている。端末装置（301）は、キーワードの入力、検索結果の表示を行うブラウザ、音映像の再生などを行うメディアプレーヤーがインストールされている。端末装置（302）は、検索エンジンを搭載し、端末装置（301）から与えられたキーワードに該当する情報を持つ記録媒体（ｂ）を検索し、検索結果を、端末装置（301）に返す。
【００３３】
図１では、便宜上１つのサーバーに１つの記録媒体しか表示していない。現実には、１つのサーバーに複数の記録媒体が存在する場合が一般的となる。また、図１では、便宜上、記録媒体（ａ）と記録媒体（ｂ）を別々のサーバーに表示している。実際には、記録媒体（ａ）と記録媒体（ｂ）が同一のサーバーにおかれてもかまわない。それらを示したのが、図２である。
【００３４】
図１では、便宜上、記録媒体（ａ）と記録媒体（ｂ）を別々の媒体として表示している。運用上、記録媒体（ａ）と記録媒体（ｂ）を、記録媒体（ｃ）として統合することもできる。それを示したのが、図３である。
【００３５】
記録媒体（ｂ）は、図４にあるように１枚あるいは複数のフレームカードを収納している。
【００３６】
記録媒体（ｂ）に収納されたフレームカードがすべて記録媒体（ａ）に関するものであれば、図５のように、記録媒体（ｂ）自身に符号（Ｄ）を持たせてもよい。こうすることは、検索処理の能率化につながる。
【００３７】
図６のように、端末装置（ブラウザ）（301）からキーワード（Ｋ１）（3011）の検索指令を受けた端末装置（302）の検索エンジンは、ネットワークに接続されたサーバー（201、202・・・）を順次検索し、そこに記録媒体（ｂ）が存在したときには、記録媒体（ｂ）に収納されたフレームカード内の関連情報（Ｐ）を検索する。キーワード（Ｋ１）（3011）に該当する情報があった場合には、そのフレームカードを検索結果リスト（Ｌ１）（3012）に項目１、項目２・・・として追加していく。
【００３８】
図７のように、端末装置（ブラウザ）（301）の検索結果リスト（Ｌ２）から項目２の再生指令を受け取った端末装置（302）の検索エンジンは、項目２に対応するフレームカード（Ｃ１）（3015）が持つ符号（Ｄ）を手がかりにして、ネット上のサーバー（201、202・・・）からサーバー（201）の記録媒体（ａ）（401）を探し出してきて、その結果を端末装置に引き渡す。検索エンジン（302）から記録媒体（ａ）（401）の情報を受け取った端末装置（ブラウザ）（301）は、フレームカード（Ｃ１）（3014）記載の句（ｐ１）で特定される記録媒体（ａ）の区間を映像や音声として再生するとともに、それにあわせて、字幕などの関連情報（Ｐ）を再生処理（3015）する。
【実施例１】
【００３９】
検索結果リストから１つのカードを選択して、そのままピンポイント再生
【００４０】
図８にあるように、各サーバー内に映画コンテンツの記録媒体（ａ）が記録媒体（ａ）（401）に「オズの魔法使い」、記録媒体（ａ）（402）に「ローマの休日」、記録媒体（ａ）（403）に「シャレード」が置かれている。端末装置（301）からキーワード（3011）として「検索項目/せりふ、検索語/cry」での検索指令を受け取った検索エンジン（302）は、ネットワーク上の記録媒体（ｂ）（501、502・・・）を検索したところ、図９のような検索結果を得、それを端末装置（301）に返送する。
【００４１】
図９のような検索結果を受け取った端末装置（301）は、たとえばそれを図１０のようなツリー構造にして、モニターに表示する。
【００４２】
端末装置（301）に表示されたツリー項目（3016）の一つが図１１のように選択され、再生ボタンが押されるなどして再生指示が出たときには、端末装置（301）にインストールされたメディアプレーヤーは、図９の検索結果リストの第８番目のフレーズカード情報に基づき、指定のネット内住所「ad03-01」から区間［3246-3481］の動画を再生するとともに、それに同期させて図１２のようにセリフと日本語字幕を提示再生する。
【００４３】
実施例１において、動画の区間［3246-3481］を再生するとき、該当する動画全体を受信するようにして、区間［3246-3481］を再生してもよいが、一般に大きなサイズの動画の場合には、該当する区間だけを切り出して受信するようにした方が、再生開始までの待ち時間を短くする効果があるが、実際の送受信をどうするかは、動画の種類やサイズ、通信速度、端末装置の性能などによるところが大きいので、適宜判断することになる。
【００４４】
実施例１は、会話表現中の「cry」を使ったさまざまな場面集を、ネット上で検索収集したことになり、映像コーパスである。
【実施例２】
【００４５】
検索結果リストから複数のカードを選択して、順にピンポイント再生
【００４６】
実施例１の図１０の検索結果のとき、図１３のように複数の項目がチェックで選択され、再生指示が出されたときには、端末装置（301）にインストールされたメディアプレーヤーは、選択された項目を順次ピンポイント再生する。図１４
【００４７】
このとき、図１４の3017のような操作ボタンを配置しておくと、検索結果から選択した場面を何度も繰り返して鑑賞したり、次に進んだり、前に戻ったりして鑑賞する事ができる。
【００４８】
実施例２は、会話表現中の「cry」を使ったさまざまな場面集から、特定の目的の元に取捨選択したものであり、動画辞典である。
【実施例３】
【００４９】
検索結果リストから記録媒体（ｂ）を生成して、ネットにアップ
【００５０】
実施例２の図１３でチェックした項目から、逆に図９のようなリストを作ると図１５となる。これは、記録媒体（ｂ）に所属していたフレームカードの集合であるから、逆に、これらのフレームカードを要素とする新しい記録媒体（ｂ）図１６を生成することができる。
【００５１】
そこで、この記録媒体（ｂ）に、たとえば「cry の名場面集」などの検索用名称を付けて、ネット上にアップしておく。
【００５２】
このようにして、「〜の名場面集」と言う作品名の記録媒体（ｂ）を多数生成してネット上にアップしておくと、これらはネット上で利用可能で、かつ可変的に増殖する動画辞典となる。利用する場合には、端末装置（301）で「検索語/〜の名場面集、検索項目/作品名」をキーとして検索すればよい。
【実施例４】
【００５３】
記録媒体（ｂ）の編集
【００５４】
実施例３で示した手法で検索結果リストから記録媒体（ｂ）を生成するとき、フレームカードの各項目について編集可能なアプリケーションを端末装置（301）に組み込むことで、記録媒体（ｂ）をカスタマイズ可能となる。
【００５５】
図１６のフレームカード１を例に取れば、日本語訳の「おや、泣いている」を、「おやぁ、泣いてるぞぅ！？」などのように編集可能となる。
【００５６】
作成された記録媒体（ｂ）は、検索結果の集合体であるが、同時に複数の音映像記録媒体（ａ）の再生用ファイルでもあるから、この記録媒体（ｂ）をネット上にアップすることができる。
【実施例５】
【００５７】
特定の映像作品だけを対象とした検索
【００５８】
映画やドラマなど、特定の作品だけを対象にして検索したい場合を想定する。図８にあるようなネットワークで、図１７にあるように、検索対象を「作品名/ローマの休日」、検索項目を「話者/ANN」として検索を行うと、図１８のような検索結果が得られる。
【００５９】
このような検索を可能とするためには、図５の記録媒体（ｂ）に、たとえば「作品名」という項目をあらかじめ図１９のように入れておけばよい。
【００６０】
この実施例５のように、利用者の多様な検索欲求に応えられるようにするために、考えられる項目分類によるデータベース化をあらかじめ実現しておけばよいが、実際には不可能であるから、記録媒体（ｂ）の構造を柔軟なものとしておけばよい。
【実施例６】
【００６１】
検索でヒットしたピンポイント区間の前後をあわせて再生
【００６２】
たとえば映画ローマの休日で、真実の口に手を差し入れる場面を鑑賞したいとする。実施例５のようなネットワークで、図２０のように、「作品名/ローマの休日、ト書き/mouth」で検索し、図２１のような検索結果が得られたとする。
【００６３】
目的のシーンは、第７チャプターの３６から４６の７枚のフレームカードであることがわかる。これを実施例２のように順に再生するのでは、図２２のように、場面が細切れになってしまう。具体的には、フレームカードの３７，３８，３９、４２の部分が再生されない。また、たとえ番号が４３、４４とつながっていたとしても、カード４３の終了位置と、４４の開始位置にずれや重複があれば、再生はぎこちないものとなってしまう。
【００６４】
そこで、あらかじめ「選択したフレームカードの範囲を連続して再生する」と言う機能を作っておく。
【００６５】
そこで、図２３のように、３６から４６までの項目を選択し、「連続して再生する」ボタンをクリックすると、プレーヤーは、カード３６の開始位置から、カード４６の終了位置までを再生することとなり、音映像を滑らかに鑑賞できる。
【実施例７】
【００６６】
映像の一部分だけをネット上に公開
【００６７】
たとえば、映画「ローマの休日」の真実の口に手を差し入れる場面だけをネット上に公開して共有したい場合を考える。
【００６８】
そこで、あらかじめ「選択したフレームカードの範囲を連続して保持する記録媒体（ｂ）を生成する」と言う機能を作り、この機能を「ファイルに切り出す」と言う名前のボタンに割り付けておく。
【００６９】
さきの実施例６のような手順で、図２３のところまで操作を進めた後、図２４のように、「ファイルに切り出す」ボタンをクリックすると、図２５のような新しい記録媒体（ｂ）が作成される。この記録媒体（ｂ）には元になった記録媒体の３６番目から４６番目までの１１枚のフレームカードが含まれている。
【００７０】
こうして作成した記録媒体（ｂ）をネットにあげておけば、動画編集ソフトで動画ファイルを切り出すより簡単に、映画の中の１シーンをソフト的に切り出して、ネットワーク上で共有することができる。
【産業上の利用可能性】
【００７１】
本発明は、音声や映像に関わるさまざまな文化情報の処理に関わるものであるから、多様な産業での活用が期待される。
【００７２】
特に、テレビジョンのデジタルへの移行や、難聴者対策として進められているマスメディア字幕対応の社会的要請などで、音映像媒体と字幕の融合が進められていることから、音映像の検索結果を字幕つきでピンポイント再生可能な映像内検索再生編集システムの活用場面が拡大すると予測されている。
【００７３】
また、インターネット上で急速に拡大している動画情報の有効活用、あるいはテレビ局などのメディア媒体産業で蓄積されつつある膨大な動画情報の有効活用は、文化的資産の価値を増殖させることになり、広範な文化的広がりと、大きな経済効果が期待される。
【００７４】
従来の映像内検索再生編集システムの弱点は、その視聴覚情報の文字化にあったが、近年、音声の自動認識技術は急速に信頼性を増してくるとともに、画像認識技術も次第に活用可能な分野を広げてきている。したがって、本発明にあるような、映像内検索再生編集システムの構築はきわめて現実的な産業上の要請ともなってきている。
【００７５】
すでに、ネット上での文字検索は、GoogleやYahooなどを見るまでもなく、あまねく一般化し、成熟してきている。次の課題は、映像内検索再生であり、そうした時代的要請にこたえようというのが、本発明の映像内検索再生編集システムである。
【００７６】
ネット上での文字検索は、検索に使う文字が、同時に検索対象でもあるので、文書などを作成してネット上にアップすれば、そのまま検索用データベースとなりうると言う特性があるが、音映像検索は、文字で音映像を検索するという不可避の問題を抱えており、音映像の文字によるデータベースを規格化する必要が必須となる。そうした規格化のためには、データベース構造の単純化と拡張性、編集性能と操作性能、そして処理速度などの課題を克服する必要がある。本発明の映像内検索再生編集システムは、こうした諸課題を解決するものとして発明されたもので、これからの産業的発展に不可欠の技術である。特に、時代の流れであるユーザー参加型のネットワークビジネスに幅広く利用できる技術である。
【符号の説明】
【００７７】
１００  コンピュータネットワーク
２０１  サーバー
２０２  サーバー
２０３  サーバー
２０４  サーバー
３０１  端末装置（ブラウザ）
３０１１  キーワード
３０１２  検索結果リスト
３０１３  検索結果リスト
３０１４  項目２に対応するフレームカード 
３０１５  端末装置３０１の出力
３０１６  選択された項目
３０１７  再生操作用ボタン
３０２  端末装置（検索エンジン）
４０１  記録媒体（ａ）
４０２  記録媒体（ａ）
４０３  記録媒体（ａ）
５０１  記録媒体（ｂ）
５０２  記録媒体（ｂ）
【図１】
2011123586.tif 000003
【図２】
2011123586.tif 000004
【図３】
2011123586.tif 000005
【図４】
2011123586.tif 000006
【図５】
2011123586.tif 000007
【図６】
2011123586.tif 000008
【図７】
2011123586.tif 000009
【図８】
2011123586.tif 000010
【図９】
2011123586.tif 000011
【図１０】
2011123586.tif 000012
【図１１】
2011123586.tif 000013
【図１２】
2011123586.tif 000014
【図１３】
2011123586.tif 000015
【図１４】
2011123586.tif 000016
【図１５】
2011123586.tif 000017
【図１６】
2011123586.tif 000018
【図１７】
2011123586.tif 000019
【図１８】
2011123586.tif 000020
【図１９】
2011123586.tif 000021
【図２０】
2011123586.tif 000022
【図２１】
2011123586.tif 000023
【図２２】
2011123586.tif 000024
【図２３】
2011123586.tif 000025
【図２４】
2011123586.tif 000026
【図２５】
2011123586.tif 000027